(57)【要約】【課題】従来よりもウエルド部の強度を高めた合成樹脂製保持器を製造する方法を提供する。【解決手段】キャビティのウエルド位置に一致する位置の内径側に設けられた開口に通じる第１の樹脂溜りと、前記第１の樹脂溜まりに近接して該キャビティに設けられた開口に通じる第２の樹脂溜りとを備え、かつ、保持器のウエルド部の断面積をＤ、前記第１の樹脂溜りの体積をＶ１、前記第２の樹脂溜りの体積をＶ２とするとき、下記（Ｉ）式及び（ＩＩ）式を満足する保持器成形用金型を用い、保持器成形用樹脂組成物を射出成形する。    （Ｄ／２）×１．０ｍｍ×２≦Ｖ１≦（Ｄ／２）×１０ｍｍ×２ ・・・（Ｉ）    ０．３×Ｖ１≦Ｖ２≦２．０×Ｖ１ ・・・（ＩＩ）【選択図】図１
2014231911.tif 000002
【特許請求の範囲】
【請求項１】
転がり軸受用の合成樹脂製保持器の製造方法であって、
キャビティのウエルド位置に一致する位置の内径側に設けられた開口に通じる第１の樹脂溜りと、前記第１の樹脂溜まりに近接して該キャビティに設けられた開口に通じる第２の樹脂溜りとを備え、かつ、保持器のウエルド部の断面積をＤ、前記第１の樹脂溜りの体積をＶ１、前記第２の樹脂溜りの体積をＶ２とするとき、下記（Ｉ）式及び（ＩＩ）式を満足する保持器成形用金型を用い、保持器成形用樹脂組成物を射出成形することを特徴とする合成樹脂製保持器の製造方法。
（Ｄ／２）×１．０ｍｍ×２≦Ｖ１≦（Ｄ／２）×１０ｍｍ×２ ・・・（Ｉ）
０．３×Ｖ１≦Ｖ２≦２．０×Ｖ１ ・・・（ＩＩ）
【請求項２】
前記保持器成形用金型において、
前記第１の樹脂溜りの開口部の断面積を、前記ウエルド部の断面積（Ｄ）の１％以上２０％以下とし、
前記第２の樹脂溜りの開口部の開口面積を、前記第１の樹脂溜りの開口部の開口面積に対して１０％以上５０％以下とすることを特徴とする請求項１記載の合成樹脂製保持器の製造方法。
【発明の詳細な説明】
【技術分野】
【０００１】
本発明は、転がり軸受用の合成樹脂製保持器の製造方法に関し、より詳細にはウエルド部の強度低下を防止する技術に関する。
【背景技術】
【０００２】
各種機械や装置に組み込まれる転がり軸受の保持器として、軽量で柔軟性に優れる合成樹脂製保持器が使用されることが多くなっている。この合成樹脂製保持器は射出成形法で製造されており、１ないし複数のゲートから熱可塑性樹脂、もしくは熱可塑性樹脂に補強繊維材を配合した樹脂組成物の溶融物を金型に注入し、冷却固化させて得られる。
【０００３】
しかし、保持器は円環状であるため、ゲートから注入された溶融物は金型内で分流され、ある地点（例えばゲートと対向する位置）で合流し（以下「ウエルド位置」）、保持器には、このウエルド位置に相当するウエルド部が必ず生じる。このウエルド部は、溶融物が融着一体化しただけであるため、溶融物の均一な混合が起こらず、他の部位よりも強度が低くなる。特に、補強繊維材を配合した樹脂組成物を用いた場合は、ウエルド部において補強繊維材が流動方向に対し垂直に配向するため、補強効果が発現しないばかりでなく、他の部位では補強繊維材が流動方向に対し水平に配向しているため、ウエルド部と他の部位との強度差がより大きくなる。
【０００４】
そこで、キャビティに樹脂溜りを連結し、樹脂溜りに溶融物を流入させて溶融物の流動を乱すことでウエルド部を増強することが提案されている。例えば特許文献１では、樹脂溜りをウエルド位置に対応して設けることを提案している。しかしながら、保持器の種類によって樹脂溜りの位置が変更されており、例えば玉軸受用保持器では樹脂溜りの開口をキャビティの内周側に設けているのに対し、ころ軸受用保持器では樹脂溜りの開口をキャビティの外周側に設けており、ウエルド部の補強に必ずしも最適とは言えない。
【０００５】
また、特許文献２では、キャビティの分流流路の少なくとも一方にピストンを内蔵した樹脂溜りを設け、溶融物が合流した後にピストンを作動させて溶融物を移動させることを提案している。また、特許文献３では、分流流路の少なくとも一方に、入口に開閉バルブを設けた樹脂溜りを設けて、合流した溶融物を樹脂溜りに流入させることを提案している。しかしながら、何れの方法も金型が複雑で高価になり、金型の動作制御も難しくなる。しかも、樹脂溜りがウエルド位置と一致しておらず、溶融物の移動が少ないという問題もある。
【０００６】
また、特許文献４では、合流部から外れた周縁部に、溶融物の一部が流入可能な樹脂溜まりを設けると共に、樹脂溜りとキャビティとを連通する連通部でキャビティから樹脂溜りに流入する溶融物の流入量を制限し、溶融物をキャビティ内に充填された後に樹脂溜り内に充填させることを提案している。しかしながら、樹脂溜りがウエルド位置と一致しておらず、溶融物の移動が少ないという問題がある。
【先行技術文献】
【特許文献】
【０００７】
【特許文献１】特開平１０−３１８２６３号公報
【特許文献２】特開平６−８２９３号公報
【特許文献３】特開平４−３１０７１５号公報
【特許文献４】特開２００２−３０１７４２号公報
【発明の概要】
【発明が解決しようとする課題】
【０００８】
本発明はこのような状況に鑑みてなされたものであり、従来よりもウエルド部の強度を高めた合成樹脂製保持器を製造する方法を提供することを目的とする。
【課題を解決するための手段】
【０００９】
本発明者らは、合成樹脂製保持器のウエルド部の増強を検討した結果、軸受回転時に保持器には、その外周側よりも内周側に高い引張応力が発生することを見出した。具体的には、円筒ころ軸受用合成樹脂製保持器について軸受回転時に作用する最大引張応力を有限要素法により求めたところ、下記表１に示すように内周側を１とすると、外周側では０．８程度になることを知見した。
【００１０】
【表１】
2014231911.tif 000003
【００１１】
そこで、保持器の内周側で、補強繊維材をよりランダムに分散させることがウエルド部の増強に有効になると考え、本発明を完成するに至った。即ち、本発明は下記の合成樹脂製保持器の製造方法を提供する。
（１）転がり軸受用の合成樹脂製保持器の製造方法であって、
キャビティのウエルド位置に一致する位置の内径側に設けられた開口に通じる第１の樹脂溜りと、前記第１の樹脂溜まりに近接して該キャビティに設けられた開口に通じる第２の樹脂溜りとを備え、かつ、保持器のウエルド部の断面積をＤ、前記第１の樹脂溜りの体積をＶ１、前記第２の樹脂溜りの体積をＶ２とするとき、下記（Ｉ）式及び（ＩＩ）式を満足する保持器成形用金型を用い、保持器成形用樹脂組成物を射出成形することを特徴とする合成樹脂製保持器の製造方法。
（Ｄ／２）×１．０ｍｍ×２≦Ｖ１≦（Ｄ／２）×１０ｍｍ×２ ・・・（Ｉ）
０．３×Ｖ１≦Ｖ２≦２．０×Ｖ１ ・・・（ＩＩ）
（２）前記保持器成形用金型において、
前記第１の樹脂溜りの開口部の断面積を、前記ウエルド部の断面積（Ｄ）の１％以上２０％以下とし、
前記第２の樹脂溜りの開口部の開口面積を、前記第１の樹脂溜りの開口部の開口面積に対して１０％以上５０％以下とすることを特徴とする上記（１）記載の合成樹脂製保持器の製造方法。
【発明の効果】
【００１２】
本発明では、キャビティのウエルド位置の内径側に第１の樹脂溜りを設け、更に第１の樹脂溜りに近接して設けた第２の樹脂溜りを備え、かつ、前記第１、第２の樹脂溜りの各体積を、ウエルド部の断面積を基に規定した金型を用いる。そのため、ゲートからキャビティ内に注入された溶融物は、第１の樹脂溜りに流れ込み、それに伴って補強繊維材も保持器内周側に向かって狭くなるハ字状に配向し、外周側で補強繊維材を同様に配向させた場合に比べてウエルド部の増強効果が高まる。更に、第２の樹脂溜りにより、溶融物は更に流動される。従って、ウエルド部及びその近傍における増強効果が高まり、耐久性や信頼性に優れる合成樹脂製保持器が得られる。換言すれば、保持器の肉厚を薄くすることができ、保持器の軽量化及び原料コストを低減することができる。また、肉厚を薄くした分、転動体のサイズを大きくすることもでき、軸受の定格荷重を上げることができ、軸受の長寿命化を図ることもできる。更には、このような合成樹脂製保持器を備える転がり軸受もまた耐久性に優れたものとなる。
【図面の簡単な説明】
【００１３】
【図１】本発明で得られる合成樹脂製保持器の一例である冠型保持器を示す斜視図である。
【図２】本発明で用いる金型をキャビティ上方から見た図である。
【図３】本発明で用いる他の金型をキャビティ上方から見た図である。
【図４】本発明で得られる合成樹脂製保持器の他の例である円筒ころ軸受用保持器を示す斜視図である。
【図５】本発明で得られる合成樹脂製保持器の他の例である円錐ころ軸受用保持器を示す斜視図である。
【図６】本発明で得られる合成樹脂製保持器の他の例である針状ころ軸受用保持器を示す斜視図である。
【図７】本発明で得られる合成樹脂製保持器の他の例であるアンギュラ玉軸受用保持器を示す斜視図である。
【図８】アンギュラ玉軸受用保持器の他の例を示す斜視図である。
【図９】円環引張試験の試験方法を説明するための図である。
【図１０】樹脂溜りの体積と円環引張強度との関係を示すグラフである。
【図１１】第１の樹脂溜りの開口部の断面積と、第２の樹脂溜りの開口部の断面積との関係を示すグラフである。
【図１２】成形材料が第１の樹脂溜りに流入する状態を撮影した写真である。
【図１３】図１２と同一部分を、成形材料が第２の樹脂溜りに流入した直後に撮影した写真である。
【図１４】試験２において、ウエルド部内径側の強度の測定方法を説明するための模式図である。
【発明を実施するための形態】
【００１４】
以下、本発明に関して図面を参照して詳細に説明する。
【００１５】
図１は本発明で得られる合成樹脂製保持器の一例である冠型保持器１を示す斜視図であるが、円環状の基部１０の一方の側に、柱部１１が等間隔で立設しており、隣接する一対の柱部１１，１１により、転動体（図示せず）を保持するためのポケット１２が形成されている。
【００１６】
尚、保持器材料には、例えばポリアミドやポリフェニレンサルファイド樹脂、ポリイミド樹脂、ポリエーテルエーテルケトン樹脂に、ガラス繊維や炭素繊維、チタン酸カリウムウィスカー等の補強繊維材を配合した樹脂組成物が用いられる。補強繊維材の含有量は、樹脂組成物全量の４０質量％以下が好ましく、これより多量になると樹脂量が少なすぎて成形の際の流動性が十分ではなく、後述する樹脂溜まりに流入し難くなり、ウエルド部の発生を抑制する効果が十分に得られない。また、成形時及び使用時の熱劣化を抑えるために、ヨウ化物系熱安定剤やアミン系熱安定剤を単独で、あるいは両方を添加してもよい。更に、耐衝撃性を改善するために、エチレンプロピレン非役ジエンゴム（ＥＰＤＭ）等のゴム系材料を配合してもよい。
【００１７】
この冠型保持器１は射出成形により製造されるが、本発明では図２に示すような金型１００を用いる。尚、図２は保持器成形用金型１００のキャビティ１１０を上方から見た図であり、簡単のために冠型保持器１の柱部１１及びポケット１２に相当する部分は省略してある。また、ゲート１２０を単一にしてある。
【００１８】
金型１００において、ゲート１２０からキャビティ１１０内に、保持器材料である樹脂組成物の溶融物が注入されると、通常は、図示されるように左右に分かれて流動してゲート１２０と対向する位置にて合流して、得られる保持器１の基部１０や柱部１１には前記の合流位置にてウエルド部が生じる。以下、ウエルド部が生じる位置を仮想線Ｗで示し、ウエルド位置Ｗとする。そこで本発明では、金型１００のキャビティ１１０のウエルド位置Ｗに一致する位置の内径側に設けた開口１３０ａを通じて第１の樹脂溜り１３０を形成し、更にこの第１の樹脂溜り１３０の近傍に開口１４０ａを通じて第２の樹脂溜り１４０を形成する。これにより、溶融物は、キャビティ１１０の全体を充填した後、第１の樹脂溜り１３０に流入し、その際ウエルド位置Ｗの内径側近傍で溶融物の流動状態が大きく乱れ、従来のウエルド部のような明確な境界が形成されなくなる。また、繊維状補強材を含有する場合は、繊維状補強材もランダムに配向する。更に、射出圧または保圧により、溶融物は第２の樹脂溜り１４０にも流入するため、第１の樹脂溜り１３０による流動性の乱れに加え、ウエルド部相当部分が全体的に第２の樹脂溜り１４０の側に移動し、更なる流動が起こる。このように、ウエルド位置Ｗの近傍において溶融物の流動状態がより激しく乱れ、結果としてウエルド部の強度がより高まる。しかも、ウエルド位置Ｗの外径側に第１の樹脂溜りを設けた場合よりも、得られる保持器の内周側での補強効果が高くなる。
【００１９】
尚、第２の樹脂溜り１４０は、キャビティ１１０の外径側に限らず、図３に示すように内径側に設けてもよい。更には、第２の樹脂溜り１４０は複数設けることもでき、その場合もキャビティ１１０の内径側、外径側の何れか一方、あるいは両方に設けることができる。例えば、図示は省略するが、第１の樹脂溜り１３０の両側内径側に２つの第２の樹脂溜り１４０を設けてもよいし、第１の樹脂溜り１３０の両側外径側に２つの第２の樹脂溜り１４０を設けてもよい。また、第１の樹脂溜り１３０の一方の側の内径側に第２の樹脂溜り１４０を設けるとともに、他方の側の外径側に第２の樹脂溜り１４０を設けることもできる。
【００２０】
金型１００において、第１の樹脂溜り１３０の体積（Ｖ１）は、保持器のウエルド部の断面積（Ｄ）に対して以下の関係式（Ｉ）を満足し、第２の樹脂溜り１４０の体積（Ｖ２）は保持器のウエルド部の断面積（Ｄ）に対して以下の関係式（ＩＩ）を満足する。尚、ウエルド部の断面積（Ｄ）とは、保持器をウエルドが発生した部分にて保持器軸線に沿って切断した断面の面積である。体積（Ｖ１）、（Ｖ２）がそれぞれの下限を下回ると、溶融物の移動量、流動量が少なすぎて補強繊維材の配向の乱れが不足して十分な強度改善効果が得られないおそれがある。一方、体積（Ｖ１）、（Ｖ２）が上限を上回っても樹脂の使用量が増すだけで、強度改善効果は変わらない。
（Ｄ／２）×１．０ｍｍ×２≦Ｖ１≦（Ｄ／２）×１０ｍｍ×２  ・・・（Ｉ）
０．３×Ｖ１≦Ｖ２≦２．０×Ｖ１                           ・・・（ＩＩ）
【００２１】
また、第１の樹脂溜り１３０の開口部１３０ａの断面積（Ｄ１ａ）は、ウエルド部の断面積（Ｄ）の１％以上２０％以下にすることが好ましい。断面積（Ｄａ１）が下限を下回ると、第１の樹脂溜り１３０への溶融物の流入が制限されすぎて十分な強度改善効果が得られないおそれがある。一方、断面積（Ｄａ１）が上限を上回ると、溶融物が合流前に第１の樹脂溜り１３０に流入してしまい、この場合も十分な強度改善効果が得られないおそれがある。
【００２２】
溶融物を第１の樹脂溜り１３０に流入した後に、第２の樹脂溜り１４０に流入させるためには、第２の樹脂溜り１４０の開口１４０ａの開口面積を第１の樹脂溜り１３０の開口１３０ａの開口面積よりも小さくすればよい。具体的には、第２の樹脂溜り１４０の開口部１４０ａの開口面積は第１の樹脂溜り１３０の開口部１３０ａの開口面積に対して１０以上５０％以下とすることが好ましい。
【００２３】
更に、第２の樹脂溜り１４０による溶融物の移動を確実にするためには、第２の樹脂溜り１４０の開口１４０ａが第１の樹脂溜まり１３０の開口１３０ａに近い方が好ましい。具体的には、第１の樹脂溜り１３０の開口１３０ａの中心と、第２の樹脂溜り１４０の開口１４０ａの中心との距離が、ポケットの最大幅Ｐ（図１の冠型保持器１ではポケット１２の曲率半径の２倍）以内に接近していることが好ましい。
【００２４】
本発明では、上記のように第１の樹脂溜り１３０及び第２の樹脂溜り１４０を備える保持器成形用金型１００を用いる限り、成形条件には制限はなく、従来の合成樹脂製保持器を射出成形する際の成形条件をそのまま採用できる。
【００２５】
本発明は種々の変更が可能であり、上記は単一ゲートの場合であるが、ゲート１２０が複数の場合は、ゲート数に応じて複数生じるウエルド部と対向するようにキャビティ１１０の内径側に複数の第１の樹脂溜まり１３０を設け、更にその近傍に第２の樹脂溜り１４０を形成する。
【００２６】
また、保持器の種類も冠型保持器に限らず、図４に示すような円筒ころ軸受用保持器、図５に示すような円錐ころ軸受用保持器、図６に示すような針状ころ軸受用保持器、図７及び図８に示すようなアンギュラ玉軸受用保持器等にも応用でき、製造に際し、それぞれの保持器に対応する金型１００のキャビティ１１０の内径側に第１の樹脂溜り１３０を設け、更にその近傍に第２の樹脂溜り１４０を付加すればよい。
【実施例】
【００２７】
以下に実施例及び比較例を挙げて本発明を更に説明するが、本発明はこれにより何ら制限されるものではない。
【００２８】
〔試験１〕
図２に示すように、円環状のキャビティの内径側のゲートと対向する位置に開口部を形成して第１の樹脂溜りを連結して設け、更にキャビティの外径側の第１の樹脂溜りの開口部から位相を１５°ずらした位置に開口部を形成して第２の樹脂溜りを連結して設けた。また、各樹脂溜りの体積及び開口部の断面積を可変にできる構成とした。そして、成形材料（ガラス繊維を２５質量％の割合で含有するポリアミド６６）をゲートから注入して射出成形し、円環試験片（内径５８ｍｍ、外径６６ｍｍ、幅５ｍｍ：断面積は２０ｍｍ２で、ウエルド部の断面積も同じ）を作製した。
【００２９】
そして、図９に示す試験装置を用いて円環引張試験を行い、円環試験片の引張強度を測定した。図示される試験装置では、上下一対の治具に円環試験片を、ウエルド部が治具の合わせ面と一致（図中水平）するように装着し、治具を上下方向に引っ張る構成になっている。
【００３０】
図１０は、第１の樹脂溜りの開口部の断面積を２ｍｍ２、第２の樹脂溜りの開口部の断面積を０．５ｍｍ２に固定し、第１の樹脂溜りの体積を変更して円環引張強度を測定した結果を示している。但し、樹脂溜りを設けない（即ち体積０％）金型を用いた時の円環引張強度を１とする相対値で示してある。また、第２の樹脂溜りの体積は、第１の樹脂溜りの体積の３０％、５０％、１００％または２００％とした。
【００３１】
図示されるように、第１の樹脂溜りの体積が小さいと顕著な強度改善効果が認められず、ウエルド部の断面積と同等の２０ｍｍ３以上の範囲で強度改善効果が高まっている。但し、第１の樹脂溜りの体積がウエルド部の断面積の１０倍（２００ｍｍ３）を超えると強度が低下してくる。また、第２の樹脂溜りの体積が、第１の樹脂溜りの体積の５０〜２００％とすることが強度改善効果に好ましいといえる。
【００３２】
また、図１１は、第１の樹脂溜り及び第２の樹脂溜りの体積を１００ｍｍ３に固定し、それぞれの開口部の断面積を変更して円環引張強度を測定した結果を示している。図中の「〇」は下記の（ａ）、（ｂ）の両方を満足する場合、「△」は（ａ），（ｂ）の両方または何れか一方を満足しない場合を示している。
（ａ）成形材料の流動順序が「ウエルド部で会合→第１の樹脂溜りへの流入完了→第２の樹脂溜りへの流入開始」という順序である。
（ｂ）円環引張強度が、樹脂溜りを設けない金型を用いた時の円環引張強度を１とする相対値で１．４０以上である。
【００３３】
図示されるように、第１の樹脂溜りの開口部の断面積と第２の樹脂溜りの開口部の断面積との間には、好ましい比率が存在する。例えば、第１の樹脂溜りの開口部の断面積が４．０ｍｍ２の場合には、第２の樹脂溜りの開口部の断面積が０．４ｍｍ２（１０％）〜２ｍｍ２（５０％）の範囲で強度改善効果が高まっている。
【００３４】
また、図１２は、成形材料が第１の樹脂溜りに流入する状態を撮影した写真であるが、ガラス繊維が開口部に流れ込むように配向しているのがわかる。但し、ここでは第２の樹脂溜りへの流入は未だ無い。
【００３５】
図１３は、成形材料が第２の樹脂溜りに流入した直後に同一部分を撮影した写真であるが、ガラス繊維がよりランダムに配向しているのがわかる。
【００３６】
〔試験２〕
（実施例２−１）
図４に示すような円筒ころ軸受用保持器（内径：１０６ｍｍ、外径：１２０ｍｍ、円周方向のポケット最大幅Ｐ：２２ｍｍ）を作製するための金型を改良し、キャビティの内周面に第１の樹脂溜りを形成した。尚、符号Ｇで示すようにゲートを一方の円環状の基部の各ポケット中央部の内径側に設け、符号Ｗで示すように他方の円環状の基部の各ポケット中央部の内径側に第１の樹脂溜りの開口部を設けた。尚、ウエルド部の断面積は４２ｍｍ２である。また、第１の樹脂溜りの開口部の中心から８ｍｍ離れた外径側に、第２の樹脂溜りの開口部を設けて第２の樹脂溜りを連結した。尚、第１の樹脂溜りの体積を１００ｍｍ３とし、開口部の断面積を２ｍｍ２とした。また、第２の樹脂溜りの体積を６０ｍｍ３とし、開口部の断面積を０．６ｍｍ２とした。そして、成形材料（ガラス繊維を３０質量％の割合で含有するポリフェニレンサルファイド）をゲートから注入して射出成形し、円筒ころ軸受用保持器を作製した。
【００３７】
（比較例２−１）
実施例２−１と同形で、樹脂溜りの無い金型を用いて同一成形材料を射出成形し、円筒ころ軸受用保持器を作製した。
【００３８】
（比較例２−２）
実施例２−１と同形で、第１の樹脂溜りをキャビティの外径側に形成した金型を用いて同一成形材料を射出成形し、円筒ころ軸受用保持器を作製した。
【００３９】
各保持器を組み込んだ試験軸受を作製し、耐久試験を行った。試験は、１時間毎に回転数を一定数ずつ上げていき、保持器が破損するまで試験軸受を連続回転させ、保持器が破損するまでの最高回転数を計測した。結果を表２に、比較例２−１の値を１とする相対値で示す。
【００４０】
また、図１４に示すようにして、各保持器のウエルド部内径側の強度を測定した。即ち、保持器のウエルド部が形成されている側の基部から円弧状の試験片を切り出し、試験片２００を外径側２０１が凸になるように試験台２２０の上に設置し、試験片２００の中央に治具２１０を載置し、治具２１０を介して鉛直方向に荷重を加えた。治具２１０にはロードセル（図示せず）が接続しており、試験片２００が破壊したときの荷重を求めた。結果を表２に、比較例２−１の値を１とする相対値で示す。
【００４１】
【表２】
2014231911.tif 000004
【００４２】
表２に示すように、本発明に従い第１の樹脂溜りと第２の樹脂溜りとを有する金型を用いて成形することにより、ウエルド部の強度が高まり、軸受の耐久性も向上することがわかる。
【００４３】
〔試験３〕
（実施例３−１）
内径９０ｍｍ、外径１１５ｍｍの玉軸受用で、ポケットと柱部とが対向する構造の冠型保持器（円周方向のポケット最大幅Ｐ：２０ｍｍ）用の金型を改良し、ゲートを柱部の幅方向中心位置に１個設けるとともに、対向するポケットの中心直下の内径側に第１の樹脂溜りを設けた。尚、ウエルド部の断面積は１０ｍｍ２である。また、第１の樹脂溜りの開口部の中心から１８ｍｍ離れた外径側に、第２の樹脂溜りの開口部を設けて第２の樹脂溜りを連結した。尚、第１の樹脂溜りの体積を４０ｍｍ３とし、開口部の断面積を１．６ｍｍ２とした。また、第２の樹脂溜りの体積を３０ｍｍ３とし、開口部の断面積を０．４ｍｍ２とした。そして、成形材料（ガラス繊維を２５質量％の割合で含有するポリアミド４６）をゲートから注入して射出成形し、冠型保持器を作製した。
【００４４】
（比較例３−１）
実施例３−１と同形で、樹脂溜りの無い金型を用いて同一成形材料を射出成形し、冠型保持器を作製した。
【００４５】
（比較例３−２）
実施例３−１と同形で、第１の樹脂溜りをキャビティの外周側に形成した金型を用いて同一成形材料を射出成形し、冠型保持器を作製した。
【００４６】
そして、試験２と同様にして各保持器の耐久試験を行い、試験１と同様にして円環引張試験を行った。結果を表３に示す。
【００４７】
【表３】
2014231911.tif 000005
【００４８】
表３に示すように、本発明に従い第１の樹脂溜りと第２の樹脂溜りとを有する金型を用いて成形することにより、ウエルド部の強度が高まり、軸受の耐久性も向上することがわかる。
【符号の説明】
【００４９】
１  冠型保持器
１０  基部
１１  柱部
１２  ポケット
１００  保持器成形用金型
１１０  キャビティ
１２０  ゲート
１３０  第１の樹脂溜り
１４０  第２の樹脂溜り
Ｗ  ウエルドライン
【図１】
2014231911.tif 000006
【図２】
2014231911.tif 000007
【図３】
2014231911.tif 000008
【図４】
2014231911.tif 000009
【図５】
2014231911.tif 000010
【図６】
2014231911.tif 000011
【図７】
2014231911.tif 000012
【図８】
2014231911.tif 000013
【図９】
2014231911.tif 000014
【図１０】
2014231911.tif 000015
【図１１】
2014231911.tif 000016
【図１２】
2014231911.tif 000017
【図１３】
2014231911.tif 000018
【図１４】
2014231911.tif 000019